(57)【要約】【課題】正確な測色結果が得られ且つ印刷に要する時間や消耗品を低減させるパッチのサイズを自動的に決定する。【解決手段】対象パッチが間隔を空けて複数配置されたテストパターンを、対象パッチのサイズを変えて複数印刷するテストパターン印刷工程と、上記印刷されたテストパターンを測色することにより対象パッチの測色値を取得する測色工程と、上記取得された測色値に基づいて、対象パッチの測色結果における対象パッチ外の色の影響の度合を対象パッチのサイズ毎に取得する度合取得工程と、上記対象パッチのサイズ毎に取得される度合と所定の許容値とを比較することにより、上記度合が許容値以下となる対象パッチのサイズのうち最小のサイズを、パッチサイズとして決定するサイズ決定工程とを備える。【選択図】図７
2010201845.tif 000002
【特許請求の範囲】
【請求項１】
対象パッチが間隔を空けて複数配置されたテストパターンを、対象パッチのサイズを変えて複数印刷するテストパターン印刷工程と、
上記印刷されたテストパターンを測色することにより対象パッチの測色値を取得する測色工程と、
上記取得された測色値に基づいて、対象パッチの測色結果における対象パッチ外の色の影響の度合を対象パッチのサイズ毎に取得する度合取得工程と、
上記対象パッチのサイズ毎に取得される度合と所定の許容値とを比較することにより、上記度合が許容値以下となる対象パッチのサイズのうち最小のサイズを、パッチサイズとして決定するサイズ決定工程と、
を備えることを特徴とするパッチサイズ決定方法。
【請求項２】
上記テストパターン印刷工程は、矩形の対象パッチの縦および横のうち一方のサイズを変化させ他方のサイズを固定値とすることにより、対象パッチのサイズが異なる複数のテストパターンを印刷する第一印刷工程を含み、
上記サイズ決定工程は、第一印刷工程によって印刷されたテストパターンの対象パッチの測色値に基づいて取得された、対象パッチの上記一方のサイズの違い毎の上記度合と、所定の許容値とを比較することにより、度合が許容値以下となる対象パッチの上記一方のサイズのうち最小値を決定する第一サイズ決定工程を含み、さらに、
上記テストパターン印刷工程は、対象パッチの縦および横のうち上記一方のサイズを上記第一サイズ決定工程において決定された最小値に固定し上記他方のサイズを変化させることにより、対象パッチのサイズが異なる複数のテストパターンを印刷する第二印刷工程を含み、
上記サイズ決定工程は、第二印刷工程によって印刷されたテストパターンの対象パッチの測色値に基づいて取得された、対象パッチの上記他方のサイズの違い毎の上記度合と、所定の許容値とを比較することにより、度合が許容値以下となる対象パッチの上記他方のサイズのうち最小値を決定する第二サイズ決定工程を含み、さらに、上記一方のサイズを上記第一サイズ決定工程で決定した最小値とし上記他方のサイズを当該第二サイズ決定工程で決定した最小値とした矩形を、上記パッチサイズとして決定することを特徴とする請求項１に記載のパッチサイズ決定方法。
【請求項３】
同一サイズの対象パッチの測色値の平均値と対象パッチの色の基準値との差を、対象パッチのサイズ毎の上記度合として取得することを特徴とする請求項１または請求項２に記載のパッチサイズ決定方法。
【請求項４】
対象パッチが間隔を空けて複数配置されたテストパターンを、対象パッチの色と対象パッチ間の領域の色との組み合わせを変えて複数印刷する初期印刷工程と、
上記初期印刷工程において印刷されたテストパターンを測色することにより対象パッチの測色値を取得する初期測色工程と、
上記初期測色工程において取得された測色値に基づいて、上記度合を上記色の組み合わせ毎に取得する初期度合取得工程と、
上記初期度合取得工程において取得される度合が最大となる色の組み合わせを特定する特定工程と、
を上記テストパターン印刷工程より前に行なうとともに、上記テストパターン印刷工程では、対象パッチの色と対象パッチ間の領域の色との組み合わせを上記特定された組み合わせとしたテストパターンを印刷することを特徴とする請求項１〜請求項３のいずれかに記載のパッチサイズ決定方法。
【請求項５】
上記初期度合取得工程は、上記初期印刷工程において印刷された一つのテストパターンを構成する対象パッチの測色値の平均値と、当該一つのテストパターンを構成する対象パッチの色の基準値との差を、当該一つのテストパターンにおける色の組み合わせについての上記度合として取得することを特徴とする請求項４に記載のパッチサイズ決定方法。
【請求項６】
対象パッチと対象パッチと色が異なる隣接パッチとを交互に配置した交互パターン領域と、対象パッチを連続して配置した連続パターン領域と、を少なくとも含むテストパターンを印刷し、交互パターン領域における対象パッチの測色値の平均値を算出し、連続パターン領域における対象パッチの測色値の平均値を上記基準値として算出し、当該算出した両平均値の差を上記度合として取得することを特徴とする請求項３または請求項５に記載のパッチサイズ決定方法。
【請求項７】
印刷指示および測色指示を制御対象に出力する制御装置と、制御装置から出力される指示に基づいた処理を実行する印刷装置とを備えるパッチサイズ決定システムであって、
上記印刷装置は、上記印刷指示に基づいて、対象パッチが間隔を空けて複数配置されたテストパターンを、対象パッチのサイズを変えて複数印刷し、上記測色指示に基づいて、上記テストパターンを測色するとともに当該測色によって取得した対象パッチの測色値を上記制御装置に出力し、
上記制御装置は、上記出力された測色値に基づいて、対象パッチの測色結果における対象パッチ外の色の影響の度合を対象パッチのサイズ毎に算出し、このサイズ毎の度合と所定の許容値とを比較することにより、度合が許容値以下となる対象パッチのサイズのうち最小のサイズを、パッチサイズとして決定することを特徴とするパッチサイズ決定システム。
【請求項８】
対象パッチが間隔を空けて複数配置されたテストパターンを、対象パッチのサイズを変えて複数印刷するテストパターン印刷部と、
上記印刷されたテストパターンを測色することにより対象パッチの測色値を取得する測色部と、
上記取得された測色値に基づいて、対象パッチの測色結果における対象パッチ外の色の影響の度合を対象パッチのサイズ毎に取得する度合取得部と、
上記対象パッチのサイズ毎に取得される度合と所定の許容値とを比較することにより、上記度合が許容値以下となる対象パッチのサイズのうち最小のサイズを、パッチサイズとして決定するサイズ決定部と、
を備えることを特徴とする印刷装置。
【発明の詳細な説明】
【技術分野】
【０００１】
本発明は、パッチサイズ決定方法、パッチサイズ決定システムおよび印刷装置に関する。
【背景技術】
【０００２】
従来より、印刷装置によって、複数のカラーパッチの集合体としてのカラーチャートが印刷されている。印刷されたカラーチャートは、測色機によって個々のパッチが測色され、各パッチの測色値は、印刷装置のキャリブレーションやカラープロファイルの作成など、種々の処理や演算に供される。カラーチャートを構成する個々のパッチは、例えば矩形状であり、そのサイズ（縦幅・横幅）は、カラーチャートの印刷を行なうユーザーによって経験的に決定されていた。
【発明の概要】
【発明が解決しようとする課題】
【０００３】
測色機によってパッチを一つずつ測色する場合、パッチのサイズが測色結果を左右することがある。カラーチャートを構成するパッチのサイズが小さ過ぎる場合には、測色対象としているパッチの色のみを純粋に得ることが難しい。つまり、測色対象のパッチが小さいと、このパッチに隣接している他のパッチの色の影響が測色対象のパッチの測色結果に反映され易く、結果、測色対象のパッチの色の正確なデータを得られないことがある。
【０００４】
一方、上述したような他のパッチの色の影響を排除するために、パッチのサイズを大きな値に設定してカラーチャートを印刷すると、パッチが大きいゆえにカラーチャートの印刷に長時間を要するとともにインクや用紙の消費量も増大してしまう。また、用紙の排紙方向側に測色機を備えた印刷装置（測色機付きプリンター）を用いて、カラーチャートの印刷および測色を連続的に行なう場合がある。測色機付きプリンターにおいては、印刷したカラーチャート（印刷部から排紙したカラーチャート）を測色機の測色位置に位置決めする際に、カラーチャートを紙送り方向の逆方向に搬送する（バックフィードする）必要性が生じることがある。バックフィードの距離は、カラーチャートを構成するパッチのサイズが大きいほど長くなってしまうが、一般的にバックフィードの距離が長くなればなるほど、上記位置決めの誤差も大きくなる傾向がある。
【０００５】
つまり、パッチのサイズは小さすぎる場合も大きすぎる場合もそれぞれ上述したようなデメリットを生じさせるが、全てのデメリットを無くす或いは最小限にする最適なパッチのサイズを、作業者が自己の判断で決定することは困難であった。
【０００６】
本発明は上記課題にかんがみてなされたもので、正確な測色結果が得られ且つ印刷に要する時間や消耗品を低減させるパッチのサイズを自動的に決定することが可能な、パッチサイズ決定方法、パッチサイズ決定システムおよび印刷装置を提供することを目的とする。
【課題を解決するための手段】
【０００７】
上記目的を達成するため、本発明のパッチサイズ決定方法は、対象パッチが間隔を空けて複数配置されたテストパターンを、対象パッチのサイズを変えて複数印刷するテストパターン印刷工程と、上記印刷されたテストパターンを測色することにより対象パッチの測色値を取得する測色工程と、上記取得された測色値に基づいて、対象パッチの測色結果における対象パッチ外の色の影響の度合を対象パッチのサイズ毎に取得する度合取得工程と、上記対象パッチのサイズ毎に取得される度合と所定の許容値とを比較することにより、上記度合が許容値以下となる対象パッチのサイズのうち最小のサイズを、パッチサイズとして決定するサイズ決定工程とを備える。本発明によれば、対象パッチの測色結果における対象パッチ外の色の影響の度合を、対象パッチの複数のサイズ毎に取得することにより、当該度合が許容値以下のサイズであってその中で最小のサイズを、パッチサイズとして決定することができる。つまり、このように決定されたパッチサイズ（最適サイズ）を、以降、カラーチャートの印刷時に採用することにより、カラーチャートを短時間かつインクや用紙の使用量を抑えて印刷することができ、さらに、カラーチャートを測色したときにパッチ毎の正確な測色値が得られるようになる。
【０００８】
上記テストパターン印刷工程は、矩形の対象パッチの縦および横のうち一方のサイズを変化させ他方のサイズを固定値とすることにより、対象パッチのサイズが異なる複数のテストパターンを印刷する第一印刷工程を含み、上記サイズ決定工程は、第一印刷工程によって印刷されたテストパターンの対象パッチの測色値に基づいて取得された、対象パッチの上記一方のサイズの違い毎の上記度合と、所定の許容値とを比較することにより、度合が許容値以下となる対象パッチの上記一方のサイズのうち最小値を決定する第一サイズ決定工程を含み、さらに、上記テストパターン印刷工程は、対象パッチの縦および横のうち上記一方のサイズを上記第一サイズ決定工程において決定された最小値に固定し上記他方のサイズを変化させることにより、対象パッチのサイズが異なる複数のテストパターンを印刷する第二印刷工程を含み、上記サイズ決定工程は、第二印刷工程によって印刷されたテストパターンの対象パッチの測色値に基づいて取得された、対象パッチの上記他方のサイズの違い毎の上記度合と、所定の許容値とを比較することにより、度合が許容値以下となる対象パッチの上記他方のサイズのうち最小値を決定する第二サイズ決定工程を含み、さらに、上記一方のサイズを上記第一サイズ決定工程で決定した最小値とし上記他方のサイズを当該第二サイズ決定工程で決定した最小値とした矩形を、上記パッチサイズとして決定するとしてもよい。当該構成によれば、パッチの最適サイズにおける縦幅と横幅とを、それぞれ正確かつ容易に決定することができる。
【０００９】
パッチサイズ決定方法では、同一サイズの対象パッチの測色値の平均値と対象パッチの色の基準値との差を、対象パッチのサイズ毎の上記度合として取得するとしてもよい。当該構成によれば、サイズ毎の上記度合を、正確かつ容易に得ることができる。
【００１０】
対象パッチが間隔を空けて複数配置されたテストパターンを、対象パッチの色と対象パッチ間の領域の色との組み合わせを変えて複数印刷する初期印刷工程と、上記初期印刷工程において印刷されたテストパターンを測色することにより対象パッチの測色値を取得する初期測色工程と、上記初期測色工程において取得された測色値に基づいて、上記度合を上記色の組み合わせ毎に取得する初期度合取得工程と、上記初期度合取得工程において取得される度合が最大となる色の組み合わせを特定する特定工程と、を上記テストパターン印刷工程より前に行なうとともに、上記テストパターン印刷工程では、対象パッチの色と対象パッチ間の領域の色との組み合わせを上記特定された組み合わせとしたテストパターンを印刷するとしてもよい。当該構成によれば、対象パッチのサイズを異ならせてテストパターンを複数印刷する前に、対象パッチの測色結果における対象パッチ外の色の影響を最も顕著に把握し易い対象パッチの色と対象パッチ間の領域の色との組み合わせを取得することができる。そのため、最終的に決定されるパッチサイズは、どのような色のパッチの測色においても正確な測色結果が得られるサイズのうちの最小サイズとなる。
【００１１】
上記初期度合取得工程は、上記初期印刷工程において印刷された一つのテストパターンを構成する対象パッチの測色値の平均値と、当該一つのテストパターンを構成する対象パッチの色の基準値との差を、当該一つのテストパターンにおける上記色の組み合わせについての上記度合として取得するとしてもよい。当該構成によれば、色の組み合わせ毎の上記度合を正確かつ容易に得ることができる。
【００１２】
パッチサイズ決定方法では、対象パッチと対象パッチと色が異なる隣接パッチとを交互に配置した交互パターン領域と、対象パッチを連続して配置した連続パターン領域と、を少なくとも含むテストパターンを印刷し、交互パターン領域における対象パッチの測色値の平均値を算出し、連続パターン領域における対象パッチの測色値の平均値を上記基準値として算出し、当該算出した両平均値の差を上記度合として取得するとしてもよい。当該構成によれば、交互パターン領域の測色結果と連続パターン領域の測色結果とを比較することにより、ある対象パッチと隣接パッチとの色の組み合わせについての上記度合（隣接パッチの色の影響の度合）や、ある対象パッチのサイズについての上記度合（隣接パッチの色の影響の度合）を正確かつ容易に得ることができる。
【００１３】
本発明の技術的思想は、パッチサイズ決定方法以外にも、装置や、コンピューター読取可能な記録媒体に記録されたプログラムなど、種々の態様にて実現可能である。
例えば、印刷指示および測色指示を制御対象に出力する制御装置と、制御装置から出力される指示に基づいた処理を実行する印刷装置とを備えるパッチサイズ決定システムであって、上記印刷装置は、上記印刷指示に基づいて、対象パッチが間隔を空けて複数配置されたテストパターンを、対象パッチのサイズを変えて複数印刷し、上記測色指示に基づいて、上記テストパターンを測色するとともに当該測色によって取得した対象パッチの測色値を上記制御装置に出力し、上記制御装置は、上記出力された測色値に基づいて、対象パッチの測色結果における対象パッチ外の色の影響の度合を対象パッチのサイズ毎に算出し、このサイズ毎の度合と所定の許容値とを比較することにより、度合が許容値以下となる対象パッチのサイズのうち最小のサイズを、パッチサイズとして決定するシステムを把握することができる。また、当該システムを単一の装置で実現してもよく、その一例として、対象パッチが間隔を空けて複数配置されたテストパターンを、対象パッチのサイズを変えて複数印刷するテストパターン印刷部と、上記印刷されたテストパターンを測色することにより対象パッチの測色値を取得する測色部と、上記取得された測色値に基づいて、対象パッチの測色結果における対象パッチ外の色の影響の度合を対象パッチのサイズ毎に取得する度合取得部と、上記対象パッチのサイズ毎に取得される度合と所定の許容値とを比較することにより、上記度合が許容値以下となる対象パッチのサイズのうち最小のサイズを、パッチサイズとして決定するサイズ決定部とを備える印刷装置を把握することができる。
【図面の簡単な説明】
【００１４】
【図１】パッチサイズ決定システムの概略ブロック図である。
【図２】プリンターの外観側面図の一例である。
【図３】測色乾燥ユニットの内部構成の一例を示す図である。
【図４】パッチサイズ決定処理の一部（色組合せ特定処理）を示すフローチャートである。
【図５】色組合せ特定処理において印刷するテストパターンを例示した図である。
【図６】パッチサイズ決定処理の一部（第一サイズ決定処理）を示すフローチャートである。
【図７】パッチサイズ決定処理の一部（第二サイズ決定処理）を示すフローチャートである。
【図８】第一サイズ決定処理において印刷するテストパターンを例示した図である。
【図９】第一サイズ決定処理において印刷するテストパターンを例示した図である。
【図１０】第二サイズ決定処理において印刷するテストパターンを例示した図である。
【図１１】第二サイズ決定処理において印刷するテストパターンを例示した図である。
【発明を実施するための形態】
【００１５】
以下では、図面を参照しながら本発明の実施形態を説明する。
１．パッチサイズ決定システムの概略構成
図１は、本実施形態にかかるパッチサイズ決定システム３０を示している。システム３０は、概略、コンピューター１０（制御装置）およびプリンター２０からなる。システム３０は、複数の装置の集まりではなく単一の装置によって実現してもよい。コンピューター１０では、演算処理の中枢をなすＣＰＵ１１がシステムバス１０ａを介してコンピューター１０全体を制御する。バス１０ａには、ＲＯＭ１２、ＲＡＭ１３、各種インターフェース（Ｉ／Ｆ）１７ａ〜１７ｃが接続され、ハードディスクドライブ（ＨＤＤＲＶ）１５を介してハードディスク（ＨＤ）１４が接続されている。ＨＤ１４にはオペレーティングシステム（ＯＳ）やアプリケーションプログラム（ＡＰＬ）１４ａやプリンタードライバー（ＰＤ）１４ｂ等が記憶されており、これらはＣＰＵ１１によって適宜ＲＡＭ１３に転送され実行される。
【００１６】
コンピューター１０は、ＡＰＬ１４ａやＰＤ１４ｂに従った処理の一種として、後述のパッチサイズ決定処理（の一部）を実行する。Ｉ／Ｆ１７ａには所定の画像データに基づいて当該データに対応する画像を表示するディスプレー１８ａが接続され、Ｉ／Ｆ１７ｂにはキーボード１８ｂやマウス１８ｃが接続され、プリンターＩ／Ｆ１７ｃには例えばシリアルＩ／Ｆケーブルを介してプリンター２０が接続されている。
【００１７】
プリンター２０は、コンピューター１０によって制御される印刷装置である。プリンター２０は、印刷用紙への印刷機能だけでなく、印刷物を測色する測色機能をも備える測色部付きプリンターである。プリンター２０では、通信Ｉ／Ｆ２４、プリンターコントロールＩＣ２５、測色コントロールＩＣ２６等がバス３２を介して接続されている。プリンターコントロールＩＣ２５は、ＣＰＵ２１、ＲＯＭ２２、ＲＡＭ２３を備え、測色コントロールＩＣ２６は、Ｉ／Ｆ２６ｅ、ＣＰＵ２６ｆ、ＲＯＭ２６ｇ、ＲＡＭ２６ｈを備える。通信Ｉ／Ｆ２４はプリンターＩ／Ｆ１７ｃと接続され、コンピューター１０とプリンター２０は、プリンターＩ／Ｆ１７ｃおよび通信Ｉ／Ｆ２４を介して双方向通信を実現する。通信Ｉ／Ｆ２４はコンピューター１０から送信されるインク種類別のラスターデータを受信可能である。
【００１８】
プリンターコントロールＩＣ２５においては、ＣＰＵ２１が、ＲＯＭ２２に記憶された所定のソフトウェア（プリンターコントローラー）に従った処理を実行する。プリンターコントロールＩＣ２５は、主に印刷処理のための各種制御を実行するＩＣであり、印刷ヘッド２５ａ、ヘッド駆動部２５ｂ、キャリッジ機構２５ｃ、紙送り機構２５ｄの各部と接続して各部を制御する。印刷ヘッド２５ａは、複数のインク種類（例えば、シアン、マゼンダ、イエロー、ブラック、ライトシアン、ライトマゼンダ等）に夫々対応する複数のインクカートリッジと、各インク種類に対応して設けられた複数のノズル列とからなり、インクカートリッジが充填したインクをノズル列からインク滴として吐出することで印刷用紙に画像を形成する。プリンターコントロールＩＣ２５は、ヘッド駆動部２５ｂに対して、上記ラスターデータに対応する印加電圧データを出力する。ヘッド駆動部２５ｂは印加電圧データから印刷ヘッド２５ａの各ノズル列に内蔵された圧電素子への印加電圧パターン（駆動波形）を生成して出力し、印刷ヘッド２５ａにインク種類毎のインク滴（ドット）を吐出させる。
【００１９】
キャリッジ機構２５ｃは、プリンターコントロールＩＣ２５に制御されてプリンター２０が備える図示しないガイドレールに沿って不図示のキャリッジを往復動させる駆動装置である。キャリッジには印刷ヘッド２５ａが搭載され、印刷ヘッド２５ａがガイドレールに沿って往復動（走査）する。紙送り機構２５ｄは、プリンターコントロールＩＣ２５によって制御されることにより、不図示の紙送りローラーによって印刷用紙をキャリッジの往復動方向（主走査方向）と略直交する向き（紙送り方向）に所定の速度で搬送する。紙送り機構２５ｄは、必要に応じて印刷用紙をバックフィードによって搬送することも可能である。なお、プリンター２０としては、サーマル式や昇華型など他の仕組みで印刷画像を形成するものや、ラインヘッド方式のプリンターを採用してもよい。
【００２０】
測色コントロールＩＣ２６においては、ＣＰＵ２６ｆが、ＲＯＭ２６ｇに記憶された所定のソフトウェア（測色コントローラー）に従った処理を実行する。測色コントロールＩＣ２６は、主に測色処理のための各種制御を実行するＩＣであり、測色部２６ａ、測色部移動機構２６ｂ、押さえ板駆動機構２６ｃ、乾燥機２６ｄの各部と接続して各部を制御する。測色部２６ａは、測色対象に色検出部を向けることにより、国際照明委員会（ＣＩＥ）で規定されたＬ*ａ*ｂ*表色系（以下、「*」は省略）に基づく複数の色成分Ｌ，ａ，ｂからなる色彩値を測色値として取得可能であり、測色部２６ａが取得した測色値はコンピューター１０に出力される。Ｌａｂ色空間はデバイスに依存しない均等色空間である。むろん、測色する色空間は、ＣＩＥ規定のＬ*ｕ*ｖ*色空間、ＣＩＥ規定のＸＹＺ色空間、ＲＧＢ色空間等であってもよい。
【００２１】
測色部移動機構２６ｂは、測色コントロールＩＣ２６に制御されて、後述の押さえ板に沿って測色部２６ａを往復動させる駆動装置である。押さえ板駆動機構２６ｃは、測色コントロールＩＣ２６の制御に基づいて、印刷用紙を押さえ板に押さえさせるための駆動装置である。乾燥機２６ｄは、測色部２６ａ近傍に配設され、測色コントロールＩＣ２６の制御に基づき温風を印刷用紙に対して送る処理を行い、印刷用紙の画像を強制的に乾燥させる。つまりプリンター２０によれば、印刷用紙への画像の印刷、乾燥、測色といった一連の処理を一台で行うことが可能となる。
【００２２】
図２は、プリンター２０の外観の一例を、側面から示している。
プリンター２０は、本体２９の頭頂部付近に印刷用紙Ｍ（ロール紙Ｍ）を収容しており、この印刷用紙Ｍを本体２９前方側に形成された斜面２９ａに略沿わせて図中の紙送り方向に搬送する。斜面２９ａの所定位置にはケーシング２７が設置されている。ケーシング２７内には印刷ヘッド２５ａが収容される。印刷ヘッド２５ａは不図示の上記ガイドレールに沿って、図２の表面に対して垂直な方向（上記主走査方向）に移動する。斜面２９ａ上であってケーシング２７よりも紙送り方向下流の所定位置には、測色乾燥ユニット２８が設置されている。測色乾燥ユニット２８は内部に測色部２６ａおよび乾燥機２６ｄを収容した部品であり、斜面２９ａの決まった位置に取り付けられる。印刷用紙Ｍは搬送される際、ケーシング２７、測色乾燥ユニット２８のそれぞれ下方を通過する。
【００２３】
図３は、測色乾燥ユニット２８の内部を、図２内における前方から斜面２９ａに正対した視点で示している。測色乾燥ユニット２８はその長手方向が上記主走査方向と平行となるように取り付けられ、本実施形態では、紙送り方向の上流側に測色部２６ａを収容し、測色部２６ａよりも紙送り方向下流側に乾燥機２６ｄを収容している。測色部２６ａは色検出部２６ａ１を斜面２９ａ側へ向けた状態で、測色乾燥ユニット２８の端における初期位置に待機している。測色部２６ａの初期位置の隣には、主走査方向に向かって、長板状の押さえ板２８ａが設置されている。押さえ板２８ａは、斜面２９ａから所定距離だけ離間した位置において待機しており、所定のタイミングで押さえ板駆動機構２６ｃによって駆動されることにより、測色乾燥ユニット２８の下方に搬送された印刷用紙Ｍを上から押さえ付ける。
【００２４】
測色部２６ａは、測色部移動機構２６ｂによって押さえ板２８ａの上を主走査方向に移動する。押さえ板２８ａの略中央には、長手方向に沿って長穴２８ａ１が貫通して形成されている。移動する測色部２６ａは、長穴２８ａ１を介して色検出部２６ａ１を斜面２９ａ上の印刷用紙Ｍに相対させることで、印刷用紙Ｍに印刷された画像を測色する。乾燥機２６ｄは、内部に熱源としてのヒーターと当該ヒーターが発生させた暖気を温風として乾燥機２６ｄ外に送出するファンとを備えている。乾燥機２６ｄには、測色乾燥ユニット２８の内側を向いた壁面に送風口２６ｄ１が形成さており、ファンは送風口２６ｄ１から乾燥機２６ｄ外部に向けて温風を送出する。乾燥機２６ｄ下方における測色乾燥ユニット２８の床面には、送風口２６ｄ１の近傍から測色乾燥ユニット２８の長手方向に向かって長穴２８ｂが貫通して形成されている。当該構成により、乾燥機２６ｄが送風口２６ｄ１から送出した温風は長穴２８ｂを通過して測色乾燥ユニット２８下方に流れ、斜面２９ａ上の印刷用紙Ｍを乾燥させる。なお、印刷用紙Ｍを搬送するプリンター２０の面は図２のような斜面でなくてもよく、水平面であってもよい。
【００２５】
２．パッチサイズ決定処理
図４は、システム３０が実行するパッチサイズ決定処理の一部をフローチャートにより示している。パッチサイズ決定処理とは、パッチサイズ決定処理終了後にプリンター２０で印刷するパッチのサイズを決定する処理であって、概略的には、できるだけ小さく、かつ、そのサイズのパッチを測色したときに周囲の色の影響を受けない正確な測色結果が得られる程度のサイズを決定する処理である。また、図４に示した処理を、色組合せ特定処理と呼ぶ。
ステップＳ（以下、“ステップ”の表記を省略）１００では、コンピューター１０は、テストパターンＴＰ１を印刷するための色の組み合わせを一つ設定する。
【００２６】
図５は、テストパターンＴＰ１の一例を示している。テストパターンＴＰ１とは、後述のＳ１１０において印刷されるパターンであり、概略的には、交互パターン領域Ａ１および連続パターン領域Ａ２を含むパターンである。交互パターン領域Ａ１は、対象パッチＰ１と隣接パッチＰ２とを紙送り方向および主走査方向にそれぞれ交互に配置した（対象パッチＰ１と隣接パッチＰ２とを市松模様状に配した）領域である。交互パターン領域Ａ１を含む点で、テストパターンＴＰ１は、対象パッチＰ１が間隔を空けて複数配置されたテストパターンの一種に該当する。連続パターン領域Ａ２は、対象パッチＰ１を一定方向に沿って連続して配した領域である。図５の例では、主走査方向を向いた２つの連続パターン領域Ａ２によって交互パターン領域Ａ１の上下を挟むレイアウトにて、テストパターンＴＰ１を表している。
【００２７】
対象パッチＰ１は、後述するように、その測色値が本発明における“度合”の計算に用いられるパッチである。一方、隣接パッチＰ２は、対象パッチＰ１外の色を表すための領域である。テストパターンＴＰ１を構成する対象パッチＰ１および隣接パッチＰ２は、いずれも矩形状であり一定の大きさである。本実施形態では、テストパターンＴＰ１の対象パッチＰ１および隣接パッチＰ２のサイズは、対象パッチＰ１の測色結果が隣接パッチＰ２の色の影響を受けやすいように、比較的小さなサイズとしている。
【００２８】
Ｓ１００で設定する色の組み合わせとは、対象パッチＰ１の色と隣接パッチＰ２の色との組み合わせを意味し、色組合せ特定処理において最終的に特定される色の組み合わせの一候補となる。コンピューター１０においては、ＨＤ１４等の所定の記録領域に、対象パッチＰ１の色と隣接パッチＰ２の色との組み合わせが予め複数記録されており、Ｓ１００では、かかる複数の組み合わせの中から一つの組み合わせを選択して設定する。予め記録されている色の各組み合わせは、２色間の明度差が比較的大きい色の組み合わせとなっている。明度差が大きい２色間においては、その２色が隣り合っている場合に一方の色を測色したときに、当該一方の色の測色結果において他方の色の影響が出やすいからである。具体的には、黒と白、黒と黄色、白と黒、黄色と黒…などといった複数の組み合わせが、対象パッチＰ１の色および隣接パッチＰ２の色の組み合わせとして記録されている。なお、Ｓ１００では、コンピューター１０は、ユーザーのキーボード１８ｂやマウス１８ｃ等の入力操作に応じて、対象パッチＰ１の色と隣接パッチＰ２の色との組み合わせを設定してもよい。
【００２９】
Ｓ１１０では、システム３０は、対象パッチＰ１の色と隣接パッチＰ２の色が直近のＳ１００で設定した色の組み合わせとなった上記テストパターンＴＰ１を印刷する。具体的には、コンピューター１０は、上記Ｓ１００で設定した色の組み合わせによる色の対象パッチＰ１および隣接パッチＰ２を図５に示したレイアウトにて配置した画像を表現したカラー画像データ（各画素がプリンター２０で用いられるインク種類毎の階調値で表現されたカラー画像データ）を生成する。次に、コンピューター１０は、ＰＤ１４ｂに従った処理として、カラー画像データを対象とし、ディザ法や誤差拡散法など公知の手法を用いたハーフトーン処理を実行し、画素毎かつインク種類毎にドットの吐出／非吐出を規定したハーフトーンデータを生成する。さらにコンピューター１０は、ＰＤ１４ｂに従った処理として、ハーフトーンデータに対して所定のラスターライズ処理を施してプリンター２０が印刷する順番に並べ替え、インク種類毎のラスターデータを生成し、ラスターデータをプリンターＩ／Ｆ１７ｃを介してプリンター２０に順次出力する。この結果、プリンター２０では、プリンターコントロールＩＣ２５による制御によって、印刷ヘッド２５ａ、ヘッド駆動部２５ｂ、キャリッジ機構２５ｃおよび紙送り機構２５ｄが駆動制御され、ラスターデータに基づいてテストパターンＴＰ１を印刷用紙に印刷する。
【００３０】
Ｓ１２０では、システム３０は、直近のＳ１１０で印刷したテストパターンＴＰ１を測色し、少なくとも、連続パターン領域Ａ２を構成する各対象パッチＰ１の測色値と、交互パターン領域Ａ１を構成する各対象パッチＰ１の測色値とを取得する。
具体的には、コンピューター１０は、プリンター２０に対して印刷用紙の搬送指示と、測色指示とを出力する。搬送指示を入力したプリンター２０では、プリンターコントロールＩＣ２５が、紙送り機構２５ｄを駆動制御することにより、テストパターンＴＰ１の所定位置（テストパターンＴＰ１内の主走査方向を向く各パッチ行のうち、用紙の先頭に最も近いパッチ行）が測色部２６ａによる測色範囲に入るように、テストパターンＴＰ１が印刷された印刷用紙を必要距離だけ搬送させる。測色部２６ａの測色範囲とは、押さえ板２８ａの長穴２８ａ１内の所定範囲である。この結果、テストパターンＴＰ１内の一つのパッチ行が、長穴２８ａ１を介して測色部２６ａの色検出部２６ａ１と対面する。
【００３１】
次に、上記測色指示を入力したプリンター２０では、測色コントロールＩＣ２６が、押さえ板駆動機構２６ｃ、測色部移動機構２６ｂおよび測色部２６ａをそれぞれ駆動制御する。すると、押さえ板駆動機構２６ｃは、押さえ板２８ａを降下させて測色乾燥ユニット２８下の印刷用紙を押さえさせる。測色部移動機構２６ｂは、測色部２６ａを主走査方向に移動させ、移動中の測色部２６ａは、所定の測色周期にて測色を繰り返すことにより、テストパターンＴＰ１の一つのパッチ行を構成するパッチ毎の測色値を順次取得する。最初のパッチ行の測色が終了したら、プリンター２０では、パッチ一行分の用紙の搬送とパッチ一行分の測色とを、テストパターンＴＰ１内のパッチ行が終わるまで交互に繰り返す。この結果、測色コントロールＩＣ２６は、テストパターンＴＰ１内の各パッチの測色値を取得することができ、取得した各パッチの測色値を、通信Ｉ／Ｆ２４を介してコンピューター１０に送信する。よって、コンピューター１０は、テストパターンＴＰ１内の各パッチの測色値を取得することができる。
【００３２】
Ｓ１３０では、コンピューター１０は、直近のＳ１２０で取得したテストパターンＴＰ１の各パッチの測色値に基づいて、対象パッチＰ１の測色結果における隣接パッチＰ２の色の影響の度合を算出し取得する。具体的には、コンピューター１０は、交互パターン領域Ａ１を構成する各対象パッチＰ１の測色値の平均値（Ｌａｂ）を算出するとともに、連続パターン領域Ａ２を構成する各対象パッチＰ１の測色値の平均値（基準値Ｌａｂ）を算出する。そして、この両平均値の差（色差ΔＥ）を、対象パッチＰ１の測色結果における隣接パッチＰ２の色の影響の度合として取得する。
【００３３】
つまり、連続パターン領域Ａ２では、対象パッチＰ１が連続しているため、その領域における対象パッチＰ１個々の測色値は対象パッチＰ１以外の色の影響を受けておらず、安定した値であると言える。一方、交互パターン領域Ａ１では、対象パッチＰ１と、対象パッチＰ１とは異なる色の隣接パッチＰ２とが隣り合っているため、測色部２６ａで一つの対象パッチＰ１を測色した場合であっても、その測色結果には周囲の隣接パッチＰ２の色の影響が少なからず乗ってしまい、対象パッチＰ１の色本来の色彩値からずれた値が得られてしまう。従って、連続パターン領域Ａ２の対象パッチＰ１の測色値の平均値に対する、交互パターン領域Ａ１の対象パッチＰ１の測色値の平均値の差は、対象パッチＰ１の測色結果における隣接パッチの色の影響の程度（度合）を表していると言える。
【００３４】
Ｓ１４０では、コンピューター１０は、設定すべき色の組み合わせの全てについて、テストパターンＴＰ１の印刷から上記度合（色差ΔＥ）の取得までの処理を終えたか否か判定し、終えたと判定した場合にはＳ１５０に進む。一方、終えていないと判定した場合にはＳ１００に戻り、新たにテストパターンＴＰ１を印刷するための色の組み合わせを一つ設定し、Ｓ１１０以降の処理を繰り返す。設定すべき色の組み合わせとは、ＨＤ１４等の記録領域に予め記録されている対象パッチＰ１の色と隣接パッチＰ２の色との組み合わせや、ユーザーが入力した、対象パッチＰ１の色と隣接パッチＰ２の色との組み合わせ等を指す。
【００３５】
Ｓ１５０では、コンピューター１０は、上記のようにテストパターンＴＰ１毎（対象パッチＰ１および隣接パッチＰ２の色の組み合わせ毎）に算出された上記度合としての色差ΔＥの中から、最大値（最大色差）を選択する。そして、当該選択した最大色差が得られた対象パッチＰ１および隣接パッチＰ２の色の組み合わせを、後述のテストパターンＴＰ２，ＴＰ３の印刷に用いる色の組み合わせとして特定する。このように、Ｓ１００で繰り返し設定した色の組み合わせの中からＳ１５０において一つの組み合わせを特定することにより、色組合せ特定処理が終了する。Ｓ１００，Ｓ１１０の処理は初期印刷工程に該当し、Ｓ１２０の処理は初期測色工程に該当し、Ｓ１３０の処理は初期度合取得工程に該当し、Ｓ１５０の処理は特定工程に該当する。なお、上記度合（色差ΔＥ）を色の組み合わせ毎に算出する処理（Ｓ１３０）は、一つのテストパターンＴＰ１の測色値を取得し終える度に行なうのではなく、全てのテストパターンＴＰ１の印刷・測色を終えた後で行なうとしてもよい。
【００３６】
上記では、テストパターンＴＰ１は、対象パッチＰ１および隣接パッチＰ２による交互パターン領域Ａ１と、対象パッチＰ１による連続パターン領域Ａ２とを含むとしたが、テストパターンＴＰ１は、さらに隣接パッチＰ２を主走査方向に連続させて構成した第二の連続パターン領域を含むとしてもよい。一つのテストパターンＴＰ１の中に、対象パッチＰ１、隣接パッチＰ２それぞれによる連続パターン領域を含む構成とすれば、一つのテストパターンＴＰ１の測色結果に基づいて、色の組み合わせ２組分の上記度合を算出することができる。つまり、黒パッチと白パッチとによってテストパターンＴＰ１を印刷した場合、その測色結果から、黒パッチを対象パッチＰ１（白パッチは隣接パッチＰ２）とした場合の上記度合および、白パッチを対象パッチＰ１（黒パッチは隣接パッチＰ２）とした場合の上記度合をそれぞれ取得でき、テストパターンＴＰ１のトータルの印刷枚数を低減させることができる。
【００３７】
図６，７は、システム３０が実行するパッチサイズ決定処理の一部であって、上記色組合せ特定処理に続いて行なわれる処理をフローチャートにより示している。図６に示した処理を第一サイズ決定処理と呼び、図７に示した処理を第二サイズ決定処理と呼ぶ。
まず、第一サイズ決定処理について説明する。Ｓ１６０では、コンピューター１０は、後述のＳ１７０でテストパターンＴＰ２を印刷するときに採用するパッチサイズを一つ設定する。
【００３８】
図８，９は、テストパターンＴＰ２，ＴＰ２をそれぞれ例示している。各テストパターンＴＰ２は、対象パッチＰ１と隣接パッチＰ２とを紙送り方向および主走査方向にそれぞれ交互に配置した交互パターン領域Ａ１および対象パッチＰ１を主走査方向に沿って連続させた連続パターン領域Ａ２を含む点で、テストパターンＴＰ１と同じである。しかし、各テストパターンＴＰ２はパッチのサイズが互いに異なっている。具体的には、第一サイズ決定処理では、テストパターンＴＰ２毎に、パッチの縦幅および横幅のうち一方のサイズ（横幅）を予め設定されている最小値から最大値までの間で段階的に変化させ、他方のサイズ（縦幅）を全テストパターンＴＰ２において固定値（最大値）とすることにより、パッチのサイズが異なる複数のテストパターンＴＰ２を印刷する。
【００３９】
縦幅とは、紙送り方向におけるパッチの幅であり、横幅とは、主走査方向におけるパッチの幅である。図８では、縦幅が設定可能な最大値であり、横幅が設定可能な最小値となったパッチで構成されたテストパターンＴＰ２を示し、図９では、縦幅が同じく設定可能な最大値であり、横幅が図８のパッチよりも長いパッチで構成されたテストパターンＴＰ２を示している。本実施形態では、最初のＳ１６０では基本的に、縦幅＝設定可能な最大値、横幅＝設定可能な最小値のパッチサイズを設定する。
【００４０】
Ｓ１７０では、システム３０は、パッチ（対象パッチＰ１、隣接パッチＰ２）のサイズが直近のＳ１６０で設定したサイズとなったテストパターンＴＰ２を印刷する。つまり、コンピューター１０は、上記Ｓ１５０（図４）で特定された色の組み合わせによる色の対象パッチＰ１および隣接パッチＰ２であって上記Ｓ１６０で設定されたサイズとなった各パッチを図８等に示したレイアウトにて配置した画像を表現したカラー画像データを生成し、このカラー画像データに所定のハーフトーン処理やラスターライズ処理を施し、その結果生成したラスターデータをプリンター２０に順次出力する。そしてプリンター２０は、プリンターコントロールＩＣ２５による制御によって、ラスターデータに基づいてテストパターンＴＰ２を印刷用紙に印刷する。
【００４１】
Ｓ１８０では、システム３０は、直近のＳ１７０で印刷したテストパターンＴＰ２を測色し、テストパターンＴＰ２における、連続パターン領域Ａ２を構成する各対象パッチＰ１の測色値と、交互パターン領域Ａ１を構成する各対象パッチＰ１の測色値とを取得する。Ｓ１８０の処理の流れは、上記Ｓ１２０と同様である。
【００４２】
Ｓ１９０では、コンピューター１０は、直近のＳ１８０で取得したテストパターンＴＰ２の各パッチの測色値に基づいて、対象パッチＰ１の測色結果における隣接パッチＰ２の色の影響の度合を算出し取得する。つまり、上記Ｓ１３０と同様に、コンピューター１０は、交互パターン領域Ａ１を構成する各対象パッチＰ１の測色値の平均値（Ｌａｂ）および、連続パターン領域Ａ２を構成する各対象パッチＰ１の測色値の平均値（基準値Ｌａｂ）を算出し、算出した両平均値の差（色差ΔＥ）を、対象パッチＰ１の測色結果における隣接パッチＰ２の色の影響の度合として取得する。
【００４３】
Ｓ２００では、コンピューター１０は、上記Ｓ１６０で設定すべき複数のパッチサイズ（パッチの横幅を設定可能な最小値から最大値まで段階的に変化させたときの各サイズ）の全てについて一通り設定して各テストパターンＴＰ２の印刷から上記度合（色差ΔＥ）の取得までの処理を終えたか否かを判定し、終えたと判定した場合にはＳ２１０に進む。一方、終えていないと判定した場合にはＳ１６０に戻り、新たにテストパターンＴＰ２を印刷するためのパッチサイズを一つ設定し、Ｓ１７０以降の処理を繰り返す。
【００４４】
Ｓ２１０では、コンピューター１０は、上記Ｓ１９０の度に算出された各色差ΔＥ（パッチの横幅の違い毎の色差ΔＥ）のうち、予め設定した許容値（許容色差）以下の色差ΔＥを特定する。そして、このように特定した各色差ΔＥに一対一で対応する各横幅（パッチの横幅）のうち、最も短い横幅を第一サイズとして決定する。ただし、上記Ｓ２００においては、上述した判定の代わりに、直近のＳ１９０で取得した色差ΔＥと許容色差とを逐一比較し、色差ΔＥが許容色差以下となった時点で“Ｙｅｓ”と判定してＳ２１０に進んでもよい。つまり、第一サイズ決定処理では、テストパターンＴＰ２のパッチサイズ（パッチの横幅）は、Ｓ１７０の印刷を繰り返す毎に大きくなるため、Ｓ１９０で取得される色差ΔＥは基本的には、回を重ねる毎に小さくなると考えられる。従って、Ｓ１９０で取得した色差ΔＥが許容色差以下となった時点で、それ以上のテストパターンＴＰ２の印刷を止め、直近に得た色差ΔＥに対応するパッチの横幅を上記第一サイズとして決定してもよい。
【００４５】
次に、第二サイズ決定処理について説明する。
Ｓ２２０（図７）では、コンピューター１０は、後述のＳ２３０でテストパターンＴＰ３を印刷するときに採用するパッチサイズを一つ設定する。
【００４６】
図１０，１１は、テストパターンＴＰ３，ＴＰ３をそれぞれ例示している。各テストパターンＴＰ３も、交互パターン領域Ａ１および連続パターン領域Ａ２を含む点で、テストパターンＴＰ１，ＴＰ２と同じである。各テストパターンＴＰ３はパッチのサイズが互いに異なっている。第二サイズ決定処理では、テストパターンＴＰ３毎に、パッチの縦幅および横幅のうちテストパターンＴＰ２の印刷時に固定値とした方のサイズ（縦幅）を予め設定されている最小値から最大値までの間で段階的に変化させ、テストパターンＴＰ２の印刷時に可変としたサイズ（横幅）を上記決定された第一サイズに固定することにより、パッチのサイズが異なる複数のテストパターンＴＰ３を印刷する。図１０では、横幅が上記第一サイズであり、縦幅が設定可能な最小値となったパッチで構成されたテストパターンＴＰ３を示し、図１１では、横幅が同じく上記第一サイズであり、縦幅が図１０のパッチよりも長いパッチで構成されたテストパターンＴＰ３を示している。本実施形態では、最初のＳ２２０では基本的に、縦幅＝設定可能な最小値、横幅＝第一サイズのパッチサイズを設定する。
【００４７】
Ｓ２３０では、システム３０は、パッチ（対象パッチＰ１、隣接パッチＰ２）のサイズが直近のＳ２２０で設定したサイズであるテストパターンＴＰ３を印刷する。つまり、コンピューター１０は、上記Ｓ１５０（図４）で特定された色の組み合わせによる色の対象パッチＰ１および隣接パッチＰ２であって上記Ｓ２２０で設定されたサイズとなった各パッチを図１０等に示したレイアウトにて配置した画像を表現したカラー画像データを生成し、このカラー画像データに所定のハーフトーン処理やラスターライズ処理を施し、その結果生成したラスターデータをプリンター２０に順次出力する。そしてプリンター２０は、プリンターコントロールＩＣ２５による制御によって、ラスターデータに基づいてテストパターンＴＰ３を印刷用紙に印刷する。
【００４８】
Ｓ２４０では、システム３０は、直近のＳ２３０で印刷したテストパターンＴＰ３を測色し、テストパターンＴＰ３における、連続パターン領域Ａ２を構成する各対象パッチＰ１の測色値と、交互パターン領域Ａ１を構成する各対象パッチＰ１の測色値とを取得する。Ｓ２４０の処理の流れは、上記Ｓ１２０，Ｓ１８０と同様である。
【００４９】
Ｓ２５０では、コンピューター１０は、直近のＳ２４０で取得したテストパターンＴＰ３の各パッチの測色値に基づいて、対象パッチＰ１の測色結果における隣接パッチＰ２の色の影響の度合を算出し取得する。つまり、上記Ｓ１３０，Ｓ１９０と同様に、コンピューター１０は、交互パターン領域Ａ１を構成する各対象パッチＰ１の測色値の平均値（Ｌａｂ）および、連続パターン領域Ａ２を構成する各対象パッチＰ１の測色値の平均値（基準値Ｌａｂ）を算出し、算出した両平均値の差（色差ΔＥ）を、対象パッチＰ１の測色結果における隣接パッチＰ２の色の影響の度合として取得する。
【００５０】
Ｓ２６０では、コンピューター１０は、上記Ｓ２２０で設定すべき複数のパッチサイズ（パッチの縦幅を設定可能な最小値から最大値まで段階的に変化させたときの各サイズ）の全てについて一通り設定して各テストパターンＴＰ３の印刷から上記度合（色差ΔＥ）の取得までの処理を終えたか否かを判定し、終えたと判定した場合にはＳ２７０に進む。一方、終えていないと判定した場合にはＳ２２０に戻り、新たにテストパターンＴＰ３を印刷するためのパッチサイズを一つ設定し、Ｓ２３０以降の処理を繰り返す。
【００５１】
Ｓ２７０では、コンピューター１０は、上記Ｓ２５０の度に算出された各色差ΔＥ（パッチの縦幅の違い毎の色差ΔＥ）のうち、予め設定した許容値（許容色差）以下の色差ΔＥを特定する。そして、このように特定した各色差ΔＥに一対一で対応する各縦幅（パッチの縦幅）のうち、最も短い縦幅を第二サイズとして決定する。ただし第二サイズ決定処理においても、上記Ｓ２６０では、上述した判定の代わりに、直近のＳ２５０で取得した色差ΔＥと許容色差とを逐一比較し、色差ΔＥが許容色差以下となった時点で“Ｙｅｓ”と判定してＳ２７０に進んでもよい。つまり第二サイズ決定処理でも、テストパターンＴＰ３のパッチサイズ（パッチの縦幅）は、Ｓ２３０の印刷を繰り返す毎に大きくなるため、Ｓ２５０で取得される色差ΔＥは回を重ねる毎に小さくなると考えられる。従って、Ｓ２５０で取得した色差ΔＥが許容色差以下となった時点で、それ以上のテストパターンＴＰ３の印刷を止め、直近に得た色差ΔＥに対応するパッチの縦幅を上記第二サイズとして決定してもよい。
【００５２】
最後に、Ｓ２８０においてコンピューター１０は、上記Ｓ２１０で決定した第一サイズと上記Ｓ２７０で決定した第二サイズとをそれぞれ横幅・縦幅とした矩形を、最終的（最適）なパッチサイズ（ＰＳ）１４ｃとして決定し、当該パッチサイズ１４ｃをＨＤ１４等の所定の記録領域に情報として記録し、処理を終える。以降、システム３０（プリンター２０）では、上記のように最終的に決定したパッチサイズのパッチから構成されるカラーチャート等を、キャリブレーションやカラープロファイルの作成など種々の目的に応じて印刷することになる。なお、Ｓ１６０，Ｓ１７０，Ｓ２２０，Ｓ２３０の処理はテストパターン印刷工程に該当し、Ｓ１８０，Ｓ２４０の処理は測色工程に該当し、Ｓ１９０，Ｓ２５０の処理は度合取得工程に該当し、Ｓ２００，Ｓ２１０，Ｓ２６０，Ｓ２７０，Ｓ２８０の処理はサイズ決定工程に該当する。
【００５３】
ここで、パッチサイズ決定処理の開始から終わりまで、印刷や測色時の各種条件を極力不変とすることが望ましい。具体的には、パッチサイズ決定処理の途中でのインクカートリッジの交換や印刷用紙の種類変更等は避け、また、周囲の気温や湿度が安定した環境で処理を行う。また、色組合せ特定処理、第一サイズ決定処理、第二サイズ決定処理のそれぞれにおいて、各テストパターンについて印刷後測色するまでの時間（印刷物を自然乾燥させる時間）も、各テストパターンについて同じとする。つまり、消耗品の交換等や周囲の環境変化や乾燥時間の違いは、各テストパターンの印刷結果や測色結果に変化を与える要因となる。そのため、これら要因をできるだけ取り除くことで、対象パッチの測色結果における周囲の色の影響度合を、純粋に、対象パッチと周囲との色の組み合わせや対象パッチのサイズ変化に応じて検出するようにしている。
【００５４】
上記パッチサイズ決定処理では、第一サイズ決定処理においてパッチの横幅を変化させてその中で最適な横幅を決定し、第二サイズ決定処理においてパッチの縦幅を変化させてその中で最適な縦幅を決定したが、逆に、第一サイズ決定処理においてパッチの縦幅を変化させて最適な縦幅を決定し、第二サイズ決定処理においてパッチの横幅を変化させて最適な横幅を決定する構成でもよい。また、一回の印刷処理（Ｓ１１０，Ｓ１７０，Ｓ２３０等）で複数のテストパターンをまとめて印刷し、その後の測色処理（Ｓ１２０，Ｓ１８０，Ｓ２４０等）で複数のテストパターンをまとめて測色してもよい。このようにすれば、パッチサイズ決定処理に要する時間を全体的に短縮することができる。むろん、複数のテストパターンをまとめて印刷・測色した場合であっても、測色結果に応じて算出する上記度合は、対象パッチおよび隣接パッチの色の一つの組み合わせ毎、或いはパッチのサイズ毎の値となる。
【００５５】
さらに、パッチサイズ決定処理では、色組合せ特定処理後におけるパッチサイズを変更したテストパターンの印刷・測色を、必ずしも第一サイズ決定処理と第二サイズ決定処理とに分けて行なわなくてもよい。つまり、色組合せ特定処理後においては、上記のような対象パッチが間隔を空けて複数配置されたテストパターンを、テストパターン毎にパッチの縦幅・横幅の両方を変化させて複数印刷し、各テストパターンの測色結果に基づいて、パッチサイズ毎の上記度合を取得し、パッチサイズ毎の上記度合と許容色差との比較に基づいて最適なパッチサイズを決定してもよい。
【００５６】
上述したように、測色部２６ａは、押さえ板２８ａの長穴２８ａ１を介して印刷用紙上の印刷画像を測色する。従って、測色部２６ａによる測色可能な範囲は、長穴２８ａ１の大きさによって制限されていると言える。そこで、テストパターン（テストパターンＰＴ２，ＰＴ３）を印刷する際に、コンピューター１０は、パッチの縦幅に対して設定可能な最大値を、長穴２８ａ１の縦幅Ｈ（図３参照）に基づいて決定するとしてもよい。具体的には、プリンター２０において予測される用紙の搬送誤差（例えば、１ミリ程度）も考慮し、長穴２８ａ１の縦幅Ｈ＋搬送誤差（固定値）を、パッチの縦幅に対して設定可能な最大値とする。
また上記では、テストパターンの印刷後、テストパターンを測色部２６ａ下の位置に直接搬送することを前提に説明を行なったが、測色前にテストパターンを乾燥機２６ｄ下の位置に搬送し、乾燥機２６ｄによってテストパターンの所定位置を強制乾燥させた上で、テストパターンの当該所定位置を測色部２６ａに対して搬送して測色するとしてもよい。
【００５７】
３．まとめ
このように本実施形態によれば、システム３０は、対象パッチＰ１と隣接パッチＰ２が交互に配置された交互パターン領域Ａ１と対象パッチＰ１が連続して配置された連続パターン領域Ａ２とを含むテストパターンＴＰ１を、対象パッチＰ１および隣接パッチＰ２の色の組み合わせを変えることにより複数印刷して測色し、各テストパターンＴＰ１における連続パターン領域Ａ２の対象パッチＰ１の平均測色値と交互パターン領域Ａ１の対象パッチＰ１の平均測色値との差を、対象パッチＰ１および隣接パッチＰ２の色の組み合わせ毎の、対象パッチＰ１の測色結果における周囲色の影響の度合として取得する。そして、当該度合が最大となった色の組み合わせを、パッチサイズを変えて複数印刷されるテストパターンＴＰ２，ＴＰ３における、対象パッチＰ１および隣接パッチＰ２の色の組み合わせとして特定する。つまり、テストパターンＴＰ２，ＴＰ３を複数印刷するに際し、対象パッチＰ１の測色結果における周囲色の影響の度合が最も顕著に表れる色の組み合わせを特定して採用することにより、どのような色のパッチの測色においても正確な測色結果が得られるパッチサイズが最終的に決定されるようにしている。
【００５８】
そして、当該特定された色の組み合わせによって、交互パターン領域Ａ１と連続パターン領域Ａ２とを含むテストパターンＴＰ２を、パッチの横幅を変える（縦幅は固定する）ことにより複数印刷して測色し、各テストパターンＴＰ２における連続パターン領域Ａ２の対象パッチＰ１の平均測色値と交互パターン領域Ａ１の対象パッチＰ１の平均測色値との差を、パッチの横幅の違い毎の、対象パッチＰ１の測色結果における周囲色の影響の度合として取得し、当該度合が許容色差以下の横幅のうち最小の横幅を第一サイズとして決定する。さらに、上記特定された色の組み合わせによって、交互パターン領域Ａ１と連続パターン領域Ａ２とを含むテストパターンＴＰ３を、パッチの縦幅を変える（横幅は第一サイズに固定する）ことにより複数印刷して測色し、各テストパターンＴＰ３における連続パターン領域Ａ２の対象パッチＰ１の平均測色値と交互パターン領域Ａ１の対象パッチＰ１の平均測色値との差を、パッチの縦幅の違い毎の、対象パッチＰ１の測色結果における周囲色の影響の度合として取得し、当該度合が許容色差以下の縦幅のうち最小の縦幅を第二サイズとして決定する。
【００５９】
この結果、測色されたときに周辺色の影響を受けることなく（或いは影響が極めて小さく）その色の正確な測色値が得られるパッチサイズであって、かつ可能な限り小さなパッチサイズ（横幅が第一サイズ、縦幅が第二サイズのパッチ）が、ユーザーの経験や感覚によらず自動的に決定できる。このように決定されたパッチサイズを用いて、以後、ユーザーが所望のパッチ群（カラーチャート）を印刷すれば、インクや用紙の消費や印刷時間を極力抑えつつ、印刷した各パッチから十分に正確な測色結果を得られるようになる。
【００６０】
また図２から判るように、プリンター２０においては、印刷ヘッド２５ａと測色部２６ａとの距離が一定である。そのため、ユーザーが任意に印刷するカラーチャートが紙送り方向においてある程度長い場合には、カラーチャートを印刷し終えた時点で、カラーチャートの一部範囲（先頭のパッチ行を含む一部範囲）が測色部２６ａよりも紙送り方向下流側に位置する場合がある。このような場合、プリンター２０は、既に測色部２６ａを通過したカラーチャートの一部範囲を測色部２６ａに測色させるべく、カラーチャートを印刷した用紙をバックフィードする。一般的に、バックフィードの距離が長くなればなるほど、バックフィードして測色部２６ａ下の所定位置に測色対象のパッチ行を位置決めする際の誤差（位置決め誤差）が大きくなってしまう。しかし本実施形態では、上述したように、正確な測色値が得られかつ可能な限り小さなパッチサイズを決定するため、この決定したパッチサイズでカラーチャートを印刷することで、上記のようなバックフィードの距離が短くなったり、あるいはバックフィードの必要性が無くなったりする。その結果、上記位置決め誤差が減少し、より測色精度が向上する。
【００６１】
上記では、パッチサイズ決定処理を、コンピューター１０とプリンター２０からなるシステム３０によって実現する場合を例に説明したが、パッチサイズ決定処理はプリンター２０単独で行なうとしてもよい。プリンター２０単独で行なう場合には、コンピューター１０がパッチサイズ決定処理の中で行なっていた上記各処理を、例えば、プリンター２０のプリンターコントロールＩＣ２５が主体となって行なうことになる。
【符号の説明】
【００６２】
１０…コンピューター、１４…ＨＤ、１４ａ…ＡＰＬ、１４ｂ…プリンタードライバー、１４ｃ…パッチサイズ、２０…プリンター、２５…プリンターコントロールＩＣ、２５ａ…印刷ヘッド、２５ｂ…ヘッド駆動部、２５ｃ…キャリッジ機構、２５ｄ…紙送り機構、２６…測色コントロールＩＣ、２６ａ…測色部、２６ｂ…測色部移動機構、２６ｃ…押さえ板駆動機構、２６ｄ…乾燥機、２６ａ１…色検出部、２８…測色乾燥ユニット、２８ａ…押さえ板、２８ａ１…長穴、３０…パッチサイズ決定システム
【図１】
2010201845.tif 000003
【図２】
2010201845.tif 000004
【図３】
2010201845.tif 000005
【図４】
2010201845.tif 000006
【図５】
2010201845.tif 000007
【図６】
2010201845.tif 000008
【図７】
2010201845.tif 000009
【図８】
2010201845.tif 000010
【図９】
2010201845.tif 000011
【図１０】
2010201845.tif 000012
【図１１】
2010201845.tif 000013